(57)【要約】【課題】オゾンガスの除去能の有無を視覚的に判断できるオゾンガスフィルタを提供する。【解決手段】インジゴカルミン４．５ｇ，クエン酸３５０ｇ，グリセリン１２５０ｇに純水を加えて全体で５．０リットルとされたオゾンガス分解薬液１０１に、用意した繊維状担体１０３を浸漬し、例えば１０分間浸漬して繊維状担体１０３にオゾンガス分解薬液１０１を含浸させ、オゾンガス分解薬液１０１が含浸した含浸担体１０４が形成された状態とし、これを乾燥させてゾンガス分解成分が担持された担体シート１０５を形成する。この担体シートを巻回して円柱とし、この側面を透明な樹脂シート１０７で覆ってオゾンガスフィルタ１０８が形成された状態とする。【選択図】  図１
2008086950.tif 000002
【特許請求の範囲】
【請求項１】
繊維より構成された担体と、
この担体に担持されてオゾンガスと反応して色が変化する色素を含んだオゾンガス分解成分と
を少なくとも備えることを特徴とするオゾンガスフィルタ。
【請求項２】
請求項１記載のオゾンガスフィルタにおいて、
前記オゾンガス分解成分は、前記色素としてインジゴ環を備えた色素と酸とを含む
ことを特徴とするオゾンガスフィルタ。
【請求項３】
請求項２記載のオゾンガスフィルタにおいて、
前記色素は、インジゴカルミンである
ことを特徴とするオゾンガスフィルタ。
【請求項４】
請求項２又は３記載のオゾンガスフィルタにおいて、
前記酸は、クエン酸である
ことを特徴とするオゾンガスフィルタ。
【請求項５】
請求項１記載のオゾンガスフィルタにおいて、
前記色素はアゾ色素である
ことを特徴とするオゾンガスフィルタ。
【請求項６】
請求項１記載のオゾンガスフィルタにおいて、
前記オゾンガス分解成分は、前記色素としてヒドロキシ基を備えるアントラキノン系の色素と、アルカリ性物質とを含む
ことを特徴とするオゾンガスフィルタ。
【請求項７】
請求項１記載のオゾンガスフィルタにおいて、
前記色素は、ポリエン構造を備えるものである
ことを特徴とするオゾンガスフィルタ。
【請求項８】
請求項１〜７のいずれか１項に記載のオゾンガスフィルタにおいて、
前記オゾンガス分解成分は、保湿剤を含むことを特徴とするオゾンガスフィルタ。
【請求項９】
請求項８記載のオゾンガスフィルタにおいて、
前記保湿剤は、グリセリン，エチレングリコール，及びプロピレングリコールの中より選択されたものである
ことを特徴とするオゾンガスフィルタ。
【発明の詳細な説明】
【技術分野】
【０００１】
本発明は、オゾンガスを分解するオゾンガスフィルタに関する。
【背景技術】
【０００２】
近年、オゾンは、強い殺菌力（酸化力）と、分解した後に酸素となり有害物質が生成されない利点が注目され、水の処理、食品の殺菌、紙の漂白、部屋の除菌・消臭など、様々な産業分野での利用が拡大している。このため、労働環境基準として、オゾン濃度に対して１００ｐｐｂ×８時間の基準値が設定されている。このため、オゾンガスの濃度を人体に影響のない濃度にまで低減するオゾンガスフィルタの要求が高まっている。
【０００３】
このような状況で、現在、活性炭やオゾン分解機能を有した触媒を使用したオゾン除去フィルタが実用化されている（特許文献１参照）。
【０００４】
【特許文献１】特許第３０６６９０３号公報
【発明の開示】
【発明が解決しようとする課題】
【０００５】
しかしながら、先ず、特許文献１に記載された技術のフィルタでは、オゾンを確実に除去できているかの確認をすることが不可能であり、例えば、使用の経時に伴いフィルタの機能が低下してオゾンが除去されなくなった場合、この状態を認知するためには、別途にオゾン検出器を利用してオゾンガス濃度の測定を行う必要がある。また、活性炭や触媒を利用したフィルタは、高価になるという問題もあった。
本発明は、以上のような問題点を解消するためになされたものであり、オゾンガスの除去能の有無を視覚的に判断できるオゾンガスフィルタの提供を目的とする。
【課題を解決するための手段】
【０００６】
本発明に係るオゾンガスフィルタは、繊維より構成された担体と、この担体に担持されてオゾンガスと反応して色が変化する色素を含んだオゾンガス分解成分とを少なくとも備えるものである。このオゾンガスフィルタによれば、担持しているオゾンガス分解成分は、オゾンと反応して色が変化し、また、反応したオゾンは分解して酸素となる。
【０００７】
上記オゾンガスフィルタにおいて、オゾンガス分解成分は、色素としてインジゴ環を備えた色素と酸とを含むものであればよい。この場合、色素は、インジゴカルミンであればよい。また、酸は、クエン酸であればよい。
【０００８】
また、上記オゾンガスフィルタにおいて、色素はアゾ色素であってもよい。
また、上記オゾンガスフィルタにおいて、オゾンガス分解成分は、色素としてヒドロキシ基を備えるアントラキノン系の色素と、アルカリ性物質とを含むものであればよい。
また、上記オゾンガスフィルタにおいて、色素は、例えば、ビキシン及びノルビキシンなどのポリエン構造を備えるものであればよい。
【０００９】
また、上記オゾンガスフィルタにおいて、オゾンガス分解成分は、保湿剤を含むと良い。例えば、保湿剤は、グリセリン，エチレングリコール，及びプロピレングリコールの中より選択されたものであればよい。
【発明の効果】
【００１０】
以上説明したように、本発明によれば、繊維より構成された担体に、オゾンガスと反応して色が変化する色素を含んだオゾンガス分解成分を担持させるようにしたので、オゾンガスの除去能の有無を視覚的に判断できるオゾンガスフィルタの提供できるという優れた効果が得られる。
【発明を実施するための最良の形態】
【００１１】
以下、本発明の実施の形態について図を参照して説明する。
［実施の形態１］
図１は、本発明の実施の形態におけるオゾンガスフィルタの製造方法例について説明する工程図である。先ず、図１（ａ）に示すように、オゾンガス分解薬液１０１が収容された容器１０２を用意する。オゾンガス分解薬液１０１は、オゾンガスと反応して色が変化する色素であるインジゴカルミン（Ｃ16Ｈ8Ｎ2Ｎａ2Ｏ8Ｓ2）からなる色素と、グリセリン（Ｃ3Ｈ8Ｏ3）からなる保湿剤と、クエン酸などの水溶性の酸性物質が溶解した水溶液である。例えば、オゾンガス分解薬液１０１は、インジゴカルミン４．５ｇ，クエン酸３５０ｇ，グリセリン１２５０ｇに純水を加えて全体で５．０リットルとされたものである。インジゴカルミンは、インジゴ環を有する色素であり、オゾンガス分解薬液１０１は青色を呈した状態となる。なお、クエン酸に限らず、酢酸など他の水溶性の酸性物質を用いるようにしても良い。
【００１２】
次に、図１（ｂ）に示すように、段ボール紙から構成された繊維状担体１０３を用意する。繊維状担体１０３は、例えば、図２に示すように、ライナー２０１に挟まれた中芯２０２がピッチ３．０ｍｍの波形状に形成され、また、中芯２０２を挟む２つのライナー２０１の間の距離（幅）が２．０ｍｍとされた白色の段ボール紙から構成されたものである。なお、この段ボール紙よりなる繊維状担体１０３は、中芯２０２も白色の紙から構成されている。次に、用意した繊維状担体１０３をオゾンガス分解薬液１０１に浸漬し、例えば１０分間浸漬して繊維状担体１０３にオゾンガス分解薬液１０１を含浸させ、図１（ｃ）に示すように、オゾンガス分解薬液１０１が含浸した含浸担体１０４が形成された状態とする。
【００１３】
この後、含浸担体１０４をオゾンガス分解薬液１０１より引き上げて風乾する。ある程度に風乾された後、含浸担体１０４を、乾燥窒素中で乾燥させることで含浸担体１０４に含浸されている水分などの溶媒（媒質）を蒸発させて乾燥させる。例えば、図１（ｄ）に示すように、循環する窒素ガスが充填された所定の容器１０６の内部の窒素ガス気流中に配置し、この状態を２４時間以上保持して乾燥することで、担体シート１０５が形成された状態とする。このように形成された担体シート１０５には、インジゴ環を有する色素であるインジゴカルミン，クエン酸、及び保湿剤としてのグリセリンを含むオゾンガス分解成分が担持された状態となる。得られた担体シート１０５は、インジゴカルミンによる色（青）を呈した状態となり、この色は、目視による確認が容易に可能である。
【００１４】
以上のように作製した担体シート１０５を、例えば１０ｃｍ×４０ｃｍの長方形に裁断し、これを、短辺（１０ｃｍ）を中心線として密に巻回し、図１（ｅ）に概略を示すように、巻回されて円柱とされた担体シート１０５と、この側面を覆う透光性を有する（ほぼ透明な）樹脂シート１０７とから構成されたオゾンガスフィルタ１０８が形成された状態とする。オゾンガスフィルタ１０８は、例えば、直径３ｃｍ，長さ１０ｃｍの円柱形状に形成されたものとなる。側面を樹脂シート１０７に覆われたオゾンガスフィルタ１０８は、円柱の一方の底面より対象のガス（空気）を導入し、他方の底面より導入されたガスを排出する。
【００１５】
なお、樹脂シート１０７は、例えば、塩化ビニル樹脂のシートであり、側面からの対象ガスの侵入を防ぐとともに、担体シート１０５の色の変化（退色）を目視により観察可能とするものである。従って、樹脂シート１０７は、塩化ビニル樹脂に限らず、ポリプロピレン樹脂及びポリエチレン樹脂などのシートであっても良い。また、樹脂シート１０７ではなく、透明なプラスチックの円筒に、巻回された担体シート１０５を収容してオゾンガスフィルタとしても良い。
【００１６】
ここで、インジゴ環を有するインジゴカルミンは、オゾンと反応することで、この分子骨格に含まれるＣ＝Ｃ結合が分解され、色素分子の構造と電子状態が変化することなどにより、可視領域の光吸収が変化して色（色相）が変化（退色）する。また、この反応によりオゾンも分解されて酸素となる。従って、上述した実施の形態１のオゾンガスフィルタ１０８によれば、担体シート１０５に担持されているインジゴカルミンにより、オゾンを分解して除去するとともに、この状態が、自身が分解して色の変化として現れるものとなる。なお、インジゴカルミンに限らず、インジゴなどのインジゴ環を備えた色素であれば、インジゴカルミンと同様に用いることが可能である。
【００１７】
次に、上述した本実施の形態１のオゾンガスフィルタ１０８のフィルタ特性について説明する。円柱形状のオゾンガスフィルタ１０８の一方の底面（導入口）より、オゾンガス濃度が１１２ｐｐｂとされた空気を、毎分９リットルの流量で導入し、オゾンガスフィルタ１０８の他方の底面（排出口）より排出された空気におけるオゾンガス濃度をオゾン分析器で分析する。なお、対象となる上述した空気は、湿度４０％，温度２７℃の条件とされたものである。
【００１８】
上述した測定の結果、図３の黒四角に示すように、空気の導入を開始した直後は、排出口より排出される空気に含まれるオゾンガスの濃度が約２０ｐｐｂと減少しており、オゾンガスフィルタ１０８によりオゾンガスが濾過されていることが判る。これに対し、７５時間経過した後では、排出口より排出される空気には、約５０ｐｐｂのオゾンが含まれており、オゾンガスフィルタ１０８により濾過されるオゾンガスの量が減少している。また、この時点で樹脂シート１０７を介して担体シート１０５を目視観察すると、導入口より５ｃｍの範囲で脱色が観察された。また、排出口の領域の一部の担体シート１０５にも脱色（変色）が確認された。
【００１９】
引き続き、オゾンガスが含まれる空気の導入を継続すると、約１４０時間経過した時点より、排出口より排出される空気に含まれるオゾンの濃度が約８６ｐｐｂに安定した。この時点では、樹脂シート１０７を介して担体シート１０５を目視観察すると、観察される範囲では、担体シート１０５の色がほぼ完全に退色し、繊維状担体１０３の色と同様の状態となった。
【００２０】
なお、図３において、保湿剤（グリセリン）を用いていないオゾンガス分解薬液により作製した同術同様のオゾンガスフィルタによる同様の測定結果について白四角で示す。このように、保湿剤を用いていない場合、オゾンガスの濾過能力があまり得られていない。また、本実施の形態のオゾンガスフィルタ１０７においては、１４０時間を経過した後でも、導入された濃度１１２ｐｐｂより排出される濃度が８６ｐｐｂと減少しているが、これは、担体である段ボール紙及びグリセリン自体にオゾンを分解する機能が存在するための考えられる。
【００２１】
これらのことにより、本実施の形態のオゾンガスフィルタ１０８によれば、オゾンガスを濾過することができるとともに、濾過の能力の変化（低下）とともに、変色（脱色）が観察されるので、濾過の能力の低下が目視により容易に確認できることできる。このように目視により濾過能力の低下が確認できるので、本実施の形態のオゾンガスフィルタ１０８によれば、オゾンガスフィルタの交換時期が容易に判断できるようになる。例えば、本実施の形態のオゾンガスフィルタ１０８の寿命を、上記実験の条件において排出口より排出される空気中の汚損ガス濃度が５０ｐｐｂになるまでとすると、本実施の形態におけるオゾンガスフィルタ１０８のオゾン濾過能力は、約２．４４ｍｌ（５．２３ｍｇ）となる。
【００２２】
［実施の形態２］
次に、本発明の実施の形態２について説明する。はじめに、本実施の形態におけるオゾンガスフィルタの製造方法例について説明すると、先ず、図１（ａ）に示すように、オゾンガス分解薬液１０１が収容された容器１０２を用意する。本実施の形態では、オゾンガス分解薬液１０１は、アゾ色素であるカルコン（ＨＯＣ10Ｈ6Ｎ：ＮＣ10Ｈ5（ＯＨ）ＳＯ3Ｎａ）からなる色素と、グリセリン（Ｃ3Ｈ8Ｏ3）からなる保湿剤とが溶解した水溶液である。例えば、オゾンガス分解薬液１０１は、カルコン８ｇ及びグリセリン１２５０ｇに、体積比１：１とした純水とエタノールの混合液を加えて全体で５．０リットルとされたものである。カルコンが溶解したオゾンガス分解薬液１０１は紫色を呈した状態となる。本実施の形態では、アゾ色素であるカルコンが、オゾンガスと反応して色が変化する色素となる。
【００２３】
次に、図１（ｂ）に示すように、段ボール紙から構成された繊維状担体１０３（図２参照）を用意する。次に、用意した繊維状担体１０３を本実施の形態２のオゾンガス分解薬液１０１に浸漬し、例えば１０分間浸漬して繊維状担体１０３にオゾンガス分解薬液１０１を含浸させ、図１（ｃ）に示すように、オゾンガス分解薬液１０１が含浸した含浸担体１０４が形成された状態とする。
【００２４】
この後、含浸担体１０４をオゾンガス分解薬液１０１より引き上げて風乾する。ある程度に風乾された後、含浸担体１０４を、乾燥窒素中で乾燥させることで含浸担体１０４に含浸されている水分などの溶媒（媒質）を蒸発させて乾燥させる。例えば、図１（ｄ）に示すように、循環する窒素ガスが充填された所定の容器１０６の内部の窒素ガス気流中に配置し、この状態を２４時間以上保持して乾燥することで、担体シート１０５が形成された状態とする。このように形成された担体シート１０５には、カルコン及び保湿剤としてのグリセリンを含むオゾンガス分解成分が担持された状態となる。得られた担体シート１０５は、カルコンによる色（紫）を呈した状態となり、この色は、目視による確認が容易に可能である。
【００２５】
以上のように作製した担体シート１０５を、例えば１０ｃｍ×４０ｃｍの長方形に裁断し、これを、短辺（１０ｃｍ）を中心線として密に巻回し、図１（ｅ）に概略を示すように、巻回されて円柱とされた担体シート１０５と、この側面を覆う透光性を有する（ほぼ透明な）樹脂シート１０７とから構成されたオゾンガスフィルタ１０８が形成された状態とする。オゾンガスフィルタ１０８は、例えば、直径３ｃｍ，長さ１０ｃｍの円柱形状に形成されたものとなる。側面を樹脂シート１０７に覆われた本実施の形態２のオゾンガスフィルタ１０８は、円柱の一方の底面（導入口）より対象のガス（空気）を導入し、他方の底面（排出口）より導入されたガスを排出する。
【００２６】
ここで、アゾ色素であるカルコンは、オゾンと反応することで、この分子骨格に含まれるアゾ基（Ｎ＝Ｎ２重結合）が分解（酸化）され、色素分子の構造と電子状態が変化することなどにより、可視領域の光吸収が変化して色（色相）が変化（退色）する。また、この反応によりオゾンも分解（還元）されて酸素となる。従って、上述した実施の形態２のオゾンガスフィルタ１０８によれば、担体シート１０５に担持されているカルコンにより、オゾンを分解して除去するとともに、この状態が、自身が分解して色の変化として現れるものとなる。また、カルコンに限らず、他のアゾ色素であっても、カルコンと同様に用いることが可能である。
【００２７】
上述した本実施の形態２におけるオゾンガスフィルタの導入口より、オゾンガス濃度が１１２ｐｐｂとされた空気を、毎分９リットルの流量で導入したところ、オゾンガスフィルタの排出口より排出された空気においては、前述した実施の形態１の場合と同様に、オゾンガスが除去された状態が確認され、経時とともに担体シート１０５の脱色が確認できた。このように、本実施の形態２のオゾンガスフィルタにおいても、人体に影響のない濃度にまで十分にオゾンガスが除去でき、また、オゾンガスの濾過（分解）能力が、目視により容易に判断できることが確認された。
【００２８】
［実施の形態３］
次に、本発明の実施の形態３について説明する。はじめに、本実施の形態におけるオゾンガスフィルタの製造方法例について説明すると、先ず、図１（ａ）に示すように、オゾンガス分解薬液１０１が収容された容器１０２を用意する。本実施の形態では、オゾンガス分解薬液１０１は、アリザリン（１，２−ジヒドロキシアントラキノン：Ｃ14Ｈ10Ｏ2（ＯＨ）2）からなる色素と、グリセリン（Ｃ3Ｈ8Ｏ3）からなる保湿剤とが溶解し、かつアルカリ性物質として水酸化ナトリウムが溶解してアルカリ性とされた水溶液である。
【００２９】
例えば、本実施の形態３のオゾンガス分解薬液１０１は、アリザリン２．３ｇ及びグリセリン１２５０ｇに、水酸化ナトリウムの濃度が０．１ｍｏｌ／リットルとした純水を加えて全体で５．０リットルとされたものである。アリザリンが溶解したアルカリ性のオゾンガス分解薬液１０１は紫色を呈した状態となる。なお、アルカリ性物質として水酸化ナトリウムを用いるようにしたが、これに限るものではない。例えば、水酸化カリウムや水酸化カリウムなどのアルカリ金属の水酸化物や、水酸化カルシウムなどのアルカリ土類金属の水酸化物などの塩基であっても良い。また、塩であっても、炭酸水素ナトリウムなどの水溶液がアルカリ性となるアルカリ性物質であれば、アリザリンなどのアントラキノン系の色素をアルカリ性の状態とすることができる。本実施の形態では、成就のようにアルカリ性とされたアリザリンなどのアントラキノン系の色素が、オゾンガスと反応して色が変化する色素となる。
【００３０】
次に、図１（ｂ）に示すように、段ボール紙から構成された繊維状担体１０３（図２参照）を用意する。次に、用意した繊維状担体１０３を本実施の形態３のオゾンガス分解薬液１０１に浸漬し、例えば１０分間浸漬して繊維状担体１０３にオゾンガス分解薬液１０１を含浸させ、図１（ｃ）に示すように、オゾンガス分解薬液１０１が含浸した含浸担体１０４が形成された状態とする。
【００３１】
この後、含浸担体１０４をオゾンガス分解薬液１０１より引き上げて風乾する。ある程度に風乾された後、含浸担体１０４を、乾燥窒素中で乾燥させることで含浸担体１０４に含浸されている水分などの溶媒（媒質）を蒸発させて乾燥させる。例えば、図１（ｄ）に示すように、循環する窒素ガスが充填された所定の容器１０６の内部の窒素ガス気流中に配置し、この状態を２４時間以上保持して乾燥することで、担体シート１０５が形成された状態とする。このように形成された担体シート１０５には、アリザリン，アルカリ性物質，及び保湿剤としてのグリセリンを含むオゾンガス分解成分が担持された状態となる。得られた担体シート１０５は、アリザリンによる色（紫）を呈した状態となり、この色は、目視による確認が容易に可能である。
【００３２】
以上のように作製した担体シート１０５を、例えば１０ｃｍ×４０ｃｍの長方形に裁断し、これを、短辺（１０ｃｍ）を中心線として密に巻回し、図１（ｅ）に概略を示すように、巻回されて円柱とされた担体シート１０５と、この側面を覆う透光性を有する（ほぼ透明な）樹脂シート１０７とから構成されたオゾンガスフィルタ１０８が形成された状態とする。オゾンガスフィルタ１０８は、例えば、直径３ｃｍ，長さ１０ｃｍの円柱形状に形成されたものとなる。側面を樹脂シート１０７に覆われた本実施の形態３のオゾンガスフィルタ１０８は、円柱の一方の底面（導入口）より対象のガス（空気）を導入し、他方の底面（排出口）より導入されたガスを排出する。
【００３３】
ここで、ヒドロキシ基（−ＯＨ）を備えるアントラキノン系の色素であるアリザリンは、オゾンと反応することで、この分子骨格に含まれるＣ＝Ｏの２重結合が分解され、色素分子の構造と電子状態が変化して可視領域の光吸収が変化して色（色相）が変化し、この結果、上述した色の変化（退色）が起こるものと考えられる。また、この反応によりオゾンも分解されて酸素となる。
【００３４】
また、上記色素は、アルカリ性物質を用いてアルカリ性とされている状態では、ベンゼン環に結合しているヒドロキシ基の水素が脱離し、ベンゼン環（アントラセン）に結合した−Ｏ-基が存在した状態となる。このようにベンゼン環に結合した−Ｏ-基が存在すると、この部分にオゾンが取り込まれ（引き寄せられ）やすくなり、色素とオゾンとの反応が起こりやすくなるものと考えられる。
【００３５】
従って、上述した実施の形態３のオゾンガスフィルタ１０８によれば、担体シート１０５にアルカリ性物質とともに担持されているアリザリンにより、効果的にオゾンを分解して除去するとともに、この状態が、自身が分解して色の変化として現れるものとなる。また、アリザリンに限らず、アリザリンレッドＳなどの他のヒドロキシ基を備えるアントラキノン系の色素であっても、アリザリンと同様に用いることが可能である。
【００３６】
上述した本実施の形態３におけるオゾンガスフィルタの導入口より、オゾンガス濃度が１１２ｐｐｂとされた空気を、毎分９リットルの流量で導入したところ、オゾンガスフィルタの排出口より排出された空気においては、前述した実施の形態１の場合と同様に、オゾンガスが除去された状態が確認され、経時とともに担体シート１０５の脱色が確認できた。このように、本実施の形態３のオゾンガスフィルタにおいても、人体に影響のない濃度にまで十分にオゾンガスが除去でき、また、オゾンガスの濾過（分解）能力が、目視により容易に判断できることが確認された。
【００３７】
［実施の形態４］
次に、本発明の実施の形態４について説明する。はじめに、本実施の形態におけるオゾンガスフィルタの製造方法例について説明すると、先ず、図１（ａ）に示すように、オゾンガス分解薬液１０１が収容された容器１０２を用意する。本実施の形態では、オゾンガス分解薬液１０１は、アゾ色素であるアシッドアリザリンバイオレットＮ（別名アシッドクロームバイオレットＫ：Ｃ16Ｈ11Ｎ2ＮａＯ5Ｓ）からなる色素と、グリセリン（Ｃ3Ｈ8Ｏ3）からなる保湿剤とが溶解した水溶液である。例えば、オゾンガス分解薬液１０１は、アシッドアリザリンバイオレットＮ３．５ｇ及びグリセリン１２５０ｇに、体積比１：１とした純水とエタノールの混合液を加えて全体で５．０リットルとされたものである。アシッドアリザリンバイオレットＮが溶解したオゾンガス分解薬液１０１は紫色を呈した状態となる。
【００３８】
次に、図１（ｂ）に示すように、段ボール紙から構成された繊維状担体１０３（図２参照）を用意する。次に、用意した繊維状担体１０３を本実施の形態４のオゾンガス分解薬液１０１に浸漬し、例えば１０分間浸漬して繊維状担体１０３にオゾンガス分解薬液１０１を含浸させ、図１（ｃ）に示すように、オゾンガス分解薬液１０１が含浸した含浸担体１０４が形成された状態とする。
【００３９】
この後、含浸担体１０４をオゾンガス分解薬液１０１より引き上げて風乾する。ある程度に風乾された後、含浸担体１０４を、乾燥窒素中で乾燥させることで含浸担体１０４に含浸されている水分などの溶媒（媒質）を蒸発させて乾燥させる。例えば、図１（ｄ）に示すように、循環する窒素ガスが充填された所定の容器１０６の内部の窒素ガス気流中に配置し、この状態を２４時間以上保持して乾燥することで、担体シート１０５が形成された状態とする。このように形成された担体シート１０５には、アシッドアリザリンバイオレットＮ及び保湿剤としてのグリセリンを含むオゾンガス分解成分が担持された状態となる。得られた担体シート１０５は、アシッドアリザリンバイオレットＮによる色（紫）を呈した状態となり、この色は、目視による確認が容易に可能である。本実施の形態では、アゾ色素であるアシッドアリザリンバイオレットＮが、オゾンガスと反応して色が変化する色素となる。
【００４０】
以上のように作製した担体シート１０５を、例えば１０ｃｍ×４０ｃｍの長方形に裁断し、これを、短辺（１０ｃｍ）を中心線として密に巻回し、図１（ｅ）に概略を示すように、巻回されて円柱とされた担体シート１０５と、この側面を覆う透光性を有する（ほぼ透明な）樹脂シート１０７とから構成されたオゾンガスフィルタ１０８が形成された状態とする。オゾンガスフィルタ１０８は、例えば、直径３ｃｍ，長さ１０ｃｍの円柱形状に形成されたものとなる。側面を樹脂シート１０７に覆われた本実施の形態４のオゾンガスフィルタ１０８は、円柱の一方の底面（導入口）より対象のガス（空気）を導入し、他方の底面（排出口）より導入されたガスを排出する。
【００４１】
ここで、アゾ色素であるアシッドアリザリンバイオレットＮは、オゾンと反応することで、この分子骨格に含まれるアゾ基が分解され、色素分子の構造と電子状態が変化することなどにより、可視領域の光吸収が変化して色が変化する。また、この反応によりオゾンも分解されて酸素となる。従って、上述した実施の形態３のオゾンガスフィルタ１０８によれば、担体シート１０５に担持されているアシッドアリザリンバイオレットＮにより、オゾンを分解して除去するとともに、この状態が、自身が分解して色の変化として現れるものとなる。
【００４２】
上述した本実施の形態４におけるオゾンガスフィルタの導入口より、オゾンガス濃度が１１２ｐｐｂとされた空気を、毎分９リットルの流量で導入したところ、オゾンガスフィルタの排出口より排出された空気においては、前述した実施の形態１の場合と同様に、オゾンガスが除去された状態が確認され、経時とともに担体シート１０５の脱色が確認できた。このように、本実施の形態４のオゾンガスフィルタにおいても、人体に影響のない濃度にまで十分にオゾンガスが除去でき、また、オゾンガスの濾過（分解）能力が、目視により容易に判断できることが確認された。
【００４３】
［実施の形態５］
次に、本発明の実施の形態５について説明する。はじめに、本実施の形態におけるオゾンガスフィルタの製造方法例について説明すると、先ず、図１（ａ）に示すように、オゾンガス分解薬液１０１が収容された容器１０２を用意する。本実施の形態では、オゾンガス分解薬液１０１は、カルテノイド色素であるアナトー色素と、グリセリン（Ｃ3Ｈ8Ｏ3）からなる保湿剤とが溶解した水溶液である。例えば、オゾンガス分解薬液１０１は、アナトー色素３．８ｇ及びグリセリン１２５０ｇに、体積比１：１とした純水とエタノールの混合液を加えて全体で５．０リットルとされたものである。このように中性の状態のアナトー色素が溶解したオゾンガス分解薬液１０１は赤色を呈した状態となる。なお、アナトー色素は、ポリエン構造を備えるビキシン及びノルビキシンを主成分としたものである。
【００４４】
次に、図１（ｂ）に示すように、段ボール紙から構成された繊維状担体１０３（図２参照）を用意する。次に、用意した繊維状担体１０３を本実施の形態５のオゾンガス分解薬液１０１に浸漬し、例えば１０分間浸漬して繊維状担体１０３にオゾンガス分解薬液１０１を含浸させ、図１（ｃ）に示すように、オゾンガス分解薬液１０１が含浸した含浸担体１０４が形成された状態とする。
【００４５】
この後、含浸担体１０４をオゾンガス分解薬液１０１より引き上げて風乾する。ある程度に風乾された後、含浸担体１０４を、乾燥窒素中で乾燥させることで含浸担体１０４に含浸されている水分などの溶媒（媒質）を蒸発させて乾燥させる。例えば、図１（ｄ）に示すように、循環する窒素ガスが充填された所定の容器１０６の内部の窒素ガス気流中に配置し、この状態を２４時間以上保持して乾燥することで、担体シート１０５が形成された状態とする。このように形成された担体シート１０５には、アナトー色素及び保湿剤としてのグリセリンを含むオゾンガス分解成分が担持された状態となる。得られた担体シート１０５は、アナトー色素による色（赤）を呈した状態となり、この色は、目視による確認が容易に可能である。本実施の形態では、アナート色素に含まれるビキシン及びノルビキシンなど、ポリエン構造を備える色素が、オゾンガスと反応して色が変化する色素となる。
【００４６】
以上のように作製した担体シート１０５を、例えば１０ｃｍ×４０ｃｍの長方形に裁断し、これを、短辺（１０ｃｍ）を中心線として密に巻回し、図１（ｅ）に概略を示すように、巻回されて円柱とされた担体シート１０５と、この側面を覆う透光性を有する（ほぼ透明な）樹脂シート１０７とから構成されたオゾンガスフィルタ１０８が形成された状態とする。オゾンガスフィルタ１０８は、例えば、直径３ｃｍ，長さ１０ｃｍの円柱形状に形成されたものとなる。側面を樹脂シート１０７に覆われた本実施の形態５のオゾンガスフィルタ１０８は、円柱の一方の底面（導入口）より対象のガス（空気）を導入し、他方の底面（排出口）より導入されたガスを排出する。
【００４７】
ここで、ポリエン構造を備えるビキシン及びノルビキシンなどの色素は、オゾンと反応することで、この分子骨格に含まれるＣ＝Ｃ結合が分解され、色素分子の構造と電子状態が変化することなどにより、可視領域の光吸収が変化して色（色相）が変化（退色）する。また、この反応によりオゾンも分解されて酸素となる。従って、上述した実施の形態５のオゾンガスフィルタ１０８によれば、担体シート１０５に担持されているアナトー色素により、オゾンを分解して除去するとともに、この状態が、自身が分解して色の変化として現れるものとなる。なお、アナトー色素に限らず、ポリエン構造を備える他の色素であっても、アナトー色素と同様に用いることが可能である。
【００４８】
上述した本実施の形態５におけるオゾンガスフィルタの導入口より、オゾンガス濃度が１１２ｐｐｂとされた空気を、毎分９リットルの流量で導入したところ、オゾンガスフィルタの排出口より排出された空気においては、前述した実施の形態１の場合と同様に、オゾンガスが除去された状態が確認され、経時とともに担体シート１０５の脱色が確認できた。このように、本実施の形態５のオゾンガスフィルタにおいても、人体に影響のない濃度にまで十分にオゾンガスが除去でき、また、オゾンガスの濾過（分解）能力が、目視により容易に判断できることが確認された。
【００４９】
なお、上述した実施の形態１〜５のオゾンガスフィルタは、担体シートの表面積をより大きくすることで、オゾンガスがより高濃度とされまた大流量とされた空気中のオゾンガスの濾過に対応させ、上記オゾンガスフィルタを通過した後の空気中のオゾンガス濃度をさらに低下させることが可能である。また、上述では、オゾンガス分解成分を担持する繊維状担体として段ボール紙を用いるようにしたが、これに限るものではなく、例えば、フェルトなどの不織布や、ポリウレタンなどのプラスチックを発泡成形して成形されたスポンジなどを、繊維状担体として用いることも可能である。また、保湿剤としてグリセリンを用いるようにしたが、これに限らず、エチレングリコール及びプロピレングリコールであっても同様に適用可能であることが確認されている。
【００５０】
上述した本発明におけるオゾンガスフィルタは、高空隙率で表面積の大きい繊維状担体に、オゾンガスと反応し、かつこの反応により分解されて変色（退色）するオゾンガス分解成分を担持させた。このフィルタを用いることで、オゾンガスはオゾンガス分解成分と反応して分解除去され、フィルタにおいては、オゾンガス分解成分がオゾンガスとの反応により分解されて色が変化する。この結果、本発明によるオゾンガスフィルタによれば、オゾンの除去能力の状態が、色の変化により視覚的に判断可能となっている。
【図面の簡単な説明】
【００５１】
【図１】本発明の実施の形態におけるオゾンガスフィルタの製造方法例について説明する工程図である。
【図２】繊維状担体１０３の構成を示す斜視図（ａ）及び部分を拡大して示す側面図（ｂ）である。
【図３】実施の形態１におけるオゾンガスフィルタにより濾過した空気におけるオゾンガス濃度測定の結果を示す特性図である。
【符号の説明】
【００５２】
１０１…オゾンガス分解薬液、１０２…容器、１０３…繊維状担体、１０４…含浸担体、１０５…担体シート、１０６…容器、１０７…樹脂シート、１０８…オゾンガスフィルタ。
【図１】
2008086950.tif 000003
【図２】
2008086950.tif 000004
【図３】
2008086950.tif 000005